(57)【要約】      （修正有）【課題】幼稚園児から高齢者まで利用でき、適度の緊張感を持ちながら体力の向上とコミュニケーション能力の向上を図ることができる室内用ゴルフ遊戯具を提供する。【解決手段】基盤１の中間部分で２分割して折り畳めるようにし、この基盤の上面の周辺端縁部にボール３が落ちない程度の枠体４、４’を取付け、当該基盤の上方半分をＡ、下方半分をＢとし、基盤Ａの上方に、中央にボール収納部を有し、その底に紐で上下できるボール排出板を取付けたゴール盤カップ５を配置し、基盤Ｂの下方の両側にボールを一時保管しておく一対の突条１６、１６’を上方に傾斜させ、かつ、打ち出したボールが飛び出せるように開口部１７を設けた状態で相対して固定し、その下方に半円形状の打ち出し用のボール保持部２０を設けて本体Ｃを構成するとともに、本体基盤全体の左側若しくは右側のどちらかを高くしてボールが低い方に自動的に転がり、手元に戻ってくるように配慮した支持体２４を基盤の裏側に配置できるよう構成した。【選択図】図１
0003212593.tif 000002
【実用新案登録請求の範囲】
【請求項１】
高齢者が自由に運搬できる程度の軽量の素材で、畳１枚程度の長さ及び横幅が畳の２／３程度の板材を主体とした基盤の中間部分で２分割してなる基盤Ａ及び基盤Ｂの接点で裏面に折り畳めるよう構成するとともに、当該基盤の周縁上部にボールが落ちない程度の高さの枠体を取付け、基盤Ａの上端部中央近傍に遊戯者が手元で遠隔操作して収納したボールを排出できる機能を有するゴール盤カップを設置し、基盤Ｂの下端近傍の両側に基盤Ａ方向に傾斜したボール仮保管部を設けかつ、下端中央部近傍に打ち出し用のボール保持部を設けて本体Ｃを構成したことを特徴とする室内用ゴルフ遊戯具。
【請求項２】
ゴール盤カップのボール収納部は、その開口部上端縁をカップの最下端外周部より緩やかに傾斜させて高くしてボールを４個収納できる大きさとし、当該ボール収納部の底に配置する円盤状のボール排出板の下端をボール収納部の上端縁の下端部に強力粘着テープで屈曲自在に固定し、かつボール排出板の上端縁近傍に強靭な糸を取付け、当該ゴール盤カップの中心部に立設した旗用のポールに設けた穴を経由してその先端にリング状の杷持部を取付け、遊戯者が当該把持部を引くことによりカップインしたボールを排出できるように構成したことを特徴とする請求項１記載の室内用ゴルフ遊戯具
【請求項３】
本体Ｃの上端を下端より若干高く、かつ左右の何れかの側に傾斜させる為の棒状の支持具は、上端用と中間用の全長を本体Ｃの横幅とほぼ同じ長さ、下端用は適宜短く設定し、高さは上端部下部、中間部下部、下端部下部等それぞれ配置する位置により異なるが、所望の傾斜角度になるよう調整できる棒状の支持体を本体Ｃの裏面に適宜配設することによりゴール盤カップから排出したボールが自動的にボール仮保管部に集まるよう構成したことを特徴とする請求項１記載の室内用ゴルフ遊戯具
【請求項４】
直径及び厚さの異なる形状の板体をそれぞれ複数構成し、これらを適宜組み合わせたものを、本体Ｃの上端部下部、中間部下部、下端部下部等に配置することにより本体Ｃの高さ及び傾斜角度を調整できるよう円盤状支持体を構成したことを特徴とする請求項１記載の室内用ゴルフ遊戯具
【請求項５】
高さ、横幅及び奥行の長さがそれぞれ異なる小型の直方体を複数構成し、これらを適宜組み合わせて本体Ｃの上端部下部、中間部下部、下端部下部等に配置することにより本体Ｃの高さ及び傾斜角度を調整できる直方体状の支持体を構成したことを特徴とする請求項１記載の室内用ゴルフ遊戯具
【考案の詳細な説明】
【技術分野】
【０００１】  本考案は、老人施設や障害者福祉施設、幼稚園や児童館など幼稚園児から高齢者まで年齢に関係なく、介助者なしで一人ででも自分の体調に合わせてゲームを楽しむことができるとともに、体力の向上とコミュニケーション能力の向上を図ることができる室内用のゴルフ遊戯具に関するものである。
【背景技術】
【０００２】  近年、我が国は総人口に占める６５歳以上の老年人口が増大した高齢化社会と言われ、老人施設や障害者福祉施設が増大するとともに、少子化現象も進行して幼稚園や児童館などの強化も行われている。
しかし、これらの施設では介護福祉士、保育士、教諭などの有資格者が入所者の身体介護、生活のサポート、メンタルケアはもとより、入所者の家族との相談業務など多岐にわたるため多数の施設で要員不足が生じており、しかも担当者は主に介助を要する人たちの保護に力をそそがざるを得ず、結果として入所者の中の健常者に対しては健康管理を含めて十分な世話ができないのが現状であり、これら施設で比較的健康な方や、車いす利用者でも介助者を必要としない方等が自分の体調に合わせて一人ででもゲームを楽しみながら健康の増進とコミュニケーションの醸成に役立つスポーツ遊戯具が求められている。
【先行技術文献】
【０００３】
【特許文献１】特開２０００−０５１４２５号  本発明は室内用のゴルフ用具に関するもので、木材等の床で構成された屋内運動場ではゴルフボールをカップインするためのホールを設置できないため、図８に示すように、床面から上方に向けて広がった漏斗状のホールの下側斜面にクッション材や植毛ｅを施して従来のゴルフボールを内部に収納するホールとは真逆の形状のゴルフホールｆ及び固いゴルフボールでは床面の損傷が激しい為にそれを防ぐため並びに恰も芝生の上を転がるゴルフボールと同様な感触と打球感を得られるように表面に植毛ｅを施したゴルフボールｇで構成するとともに、パターも床面を傷つけないように打球面以外の部分に植毛を施しておく。
本発明の室内ゴルフ用具は上記のように構成され、打ち出されたゴルフボールｇをゴルフホールｆの下側斜面に設けた植毛部分ｅと床との間で挟持できるようにしたものであり、本願考案とは、室内でゴルフを体験できるという点では一致しているが、構造はもとより、その作用効果を全く異にする技術であることは明白である。
【先行技術文献】
【０００４】
【特許文献２】実登３１６９６０７号  この考案は、屋外の広大なゴルフコースに行くことも可能な健常者が、近所の屋内練習施設でスイングの練習をしながら運動不足を解消したり、ゲームを楽しむことができる室内用のゴルフ遊戯具である。
この考案の特徴の一つに、ゴルフクラブをフルスイングしても、玉を高く遠くへ飛ばさずにスイングの醍醐味を損なうことなく練習ができるよう、クラブヘッドを改造した点にあり、また、クラブヘッドがボールに当たってもボールが床面を走行するようヘッドフェースを改造した点にある。
【０００５】  この考案と本願考案との大きな相違点は、この考案の遊戯具は健常者がフルスイングできる位大型の遊戯具であるのに対し、本願考案の遊戯具は全長がわずか畳１枚分くらいの大きさで高齢者でも介助者なしで容易に移動できるよう構成した点であり、両者は目的・構造はとより使用方法も全く異なるものである。
【考案の概要】
【考案が解決しようとする課題】
【０００６】  本願考案は、「特許文献位１」の発明及び「特許文献２」の考案とは、前記のように遊戯者の健康維持という点では共通しているがいずれとも構造はもとよりその使用方法、作用効果を全く異にするものである。
本願考案は、これら従来の技術とは以上のような相違点があることに鑑み、老人施設、障害者福祉施設あるいは子供用の保護施設等において、入所者の中で遊戯をしたい方（以後遊戯者と称す）が介助者なしで一人でも室内で簡単に利用でき、カップインしたときの感動、喜びを体感できる室内用のゴルフ遊戯具を提供することを目的としている。
【課題を解決するための手段】
【０００７】  本願考案は、上記目的を達成するために、老人施設、障害者福祉施設あるいは子供用の保護施設等において、遊戯者或いは介助者が容易に運搬移動できるよう軽量で強靭な材料を使用し、大きさは畳１枚程度の長さで、横幅が畳の２／３程度、しかも、その中間部分で２分割して折り畳めるようにして、取扱いを容易にしたものを基盤とし、この基盤の上面の周端部全体にボールが落ちない程度の枠体を取付け、当該基盤の上方半分をＡ、下方半分をＢとしてその接合部分に蝶番若しくは布等を貼り付けて折り畳める構造とする。【０００８】  また、基盤Ａの上方中央部近傍に、底に紐で上下させてボールを排出できるボール排出板を配したボール収納部を中央に有するゴール盤カップを配置し、基盤Ｂの下端近傍両側に一対のボール仮保管部を中央部を基盤Ａ方向に向けて傾斜させ、かつ、ボールが通過できる位の間隔の開口部を設け、当該開口部の下方に半円弧状のボール保持部を設けたもの全体を本体Ｃとし、当該本体Ｃは平坦な室内でそのまま使用することは可能であるが、排出されたボールが打者（遊戯者）の手元に速やかにかつ、左右どちらかの側のボール仮保管部に到達するように本体の裏側に支持体を設置する。【０００９】  支持体の構造は、高さや長さの異なる棒状体、あるいは厚さや直径等の異なる板状の単体を適宜組み合わせることによりその高さや角度を調整できるように構成することができる。【００１０】  パターは木製で、車いす使用者が車いすに乗ったまま使用できる程度の長さも含め使用者が自由に選択できるよう複数用意する。
【考案の効果】
【００１１】  以上の説明から明らかなように、本考案にあっては次に列挙する効果が得られる。
（１）本考案は、畳１枚程度の長さ及び横幅が同様に畳の２／３程度の大きさでしかも軽量な素材でかつ中間部分で２分割して折り畳めるように構成してあるので、高齢者でも介助者の手を煩わせることなく自由に運搬移動できる。
（２）本体基盤Ｃの上端部中央近傍に配置するゴール盤カップのボール収納部の底に設けたボール排出板を、その頂部と糸を介して連結したリング状の杷持部を引くことにより上方に引き上げて、カップインしたボールを排出して遊戯者の手元に移動させることができる。
（３）本体基盤Ｃは平坦な室内でそのまま使用することは可能であるが、基盤Ｃの裏面に高さの異なる支持体を配設して基盤Ｃを上端から下端方向及び左右いづれかの方向に傾斜させて、少しでも傾斜のある屋外の自然コースに類似した体験をさせたり、ボールが自動的に下方のボール仮保管部に到達して介助者の手を煩わせることなく遊戯者が一人で利用することが可能である。
【図面の簡単な説明】
【００１２】
【図１】  本願遊戯具の斜視図
【図２】  本願遊戯具の側面図
【図３】  ゴール盤カップの平面図
【図４】  ゴール盤カップの断面図
【図５】  各種支持体の斜視図
【図６】  各種支持体の側面図
【図７】  クラブの平面図
【図８】  特許文献１の参考図
【考案を実施するための形態】
【００１３】  以下、考案の実施例を図面によって詳述する。
【００１４】  図１及び図２において、高齢者が自由に運搬移動できる程度の重量の板材、例えば強化段ボールや合板等で、長９０ｃｍ、横幅６０ｃｍの基盤１の中間部分で２分割して片方を基盤Ａ，他方を基盤Ｂとしてその接合部分下方に設けた蝶番２で裏側に折り畳めるようにするとともに基盤１の上面の周縁部全体にボール３が落ちない程度の高さ、例えば３ｃｍ位の枠体４を取付ける。    なお、基盤Ａの先端部分に取付ける枠体４’の高さは、他の３辺より高くして打込まれた回転力のあるボールが飛び出さないようにする場合もある。
【００１５】  基盤Ａの上端中央近傍にボール３を収納するゴール盤カップ５を設置するとともに、当該ゴール盤カップ５のボール収納部６の開口部上端縁７を、ゴール盤カップ５の下端外周部８より傾斜させながら高くして、打ち出されたボール３が４個収納できる大きさとし、当該ボール収納部６の底に円盤状のボール排出板９を配設し、その下端をボール収納部６の上端周辺部７の下端１０に強力粘着テープ１１で屈曲自在に固定し、かつボール排出板９の上端部近傍に強靭な糸１２を取付け、当該ゴール盤カップ５の中心部に立設した旗用のポール１３に設けた穴１４を経由してその先端にリング状の杷持部１５を取付け、当該把持部１５を引くことによりカップインしたボール３を排出できるように構成する。
【００１６】  図１において、基盤Ｂの下端近傍の両側に、一対の突条１６，１６’を中央部分を基盤Ａ方向に向けて傾斜させ、かつ、下方から打ち出されたボール３が通過できる程度の開口部１７を有するボール保管部１８、１８’を突設し、当該開口部１７の下方で、基盤Ｂの下端部中央近傍に、基盤Ｂの下端部との間にクラブ１９を自由に挿入できる程度の間隔を置いて略半円形状の打ち出し用のボール保持部２０を突設して遊戯具本体Ｃを構成する。
【００１７】  当該遊戯具本体Ｃは、このままの状態、即ち、平坦な状態でも十分目的を達することができるが、介助者なしでも自由に楽しんでいただくために、本体Ｃの上端部２１を下端部２２より高く、しかも本体Ｃの側面２３、２３’の何れかを反対側より若干高くして、打ち出されてゴール盤カップ５に入らなかったボールや収納されていて排出されたボールが自動的にボール仮保管部１８，１８’に保管できるように本体Ｃの裏側に支持体２４、２４’、２４’’等を適宜配置する。
【００１８】  支持体２４、２４’、２４’’の形状は各種考案でき、例えば図５、図６の（ａ）に例示する支持体２４の構造は、全長が本体Ｃの横幅と同じ６０ｃｍ、左側ａの高さを４ｃｍ、右側ｂの高さを３ｃｍ、横幅ｃを３ｃｍ、同様に本体Ｃの中央部近傍及び下端部近傍にａの高さ２ｃｍ、ｂの高さ１ｃｍ、ｃの幅２ｃｍ、下端部用に全長が３０ｃｍ、ａの高さ１ｃｍ、ｂの高さ０．５ｃｍ、ｃの幅１ｃｍの棒状のものを１セットとして支持体２４を構成する。
【００１９】  支持体２４’の形状は、例えば図５、図６の各（ｂ）に示すように、高さｈを４ｃｍ、３ｃｍ、２ｃｍ、１ｃｍ、直径ｄを５ｃｍ、４ｃｍ、３ｃｍ、２ｃｍ等高さ及び直径の異なる円盤状の支持体を複数枚構成し、本体Ｃの所望の傾斜が得られるよう適宜の枚数を組み合わせて１セットとして支持体２４’を構成する。
【００２０】  同様に支持体２４‘’の形状は、例えば図５、図６の（ｃ）に示すように、高さｈを４ｃｍ、３ｃｍ、２ｃｍ、１ｃｍ、横幅ｗを４ｃｍ、３ｃｍ、２ｃｍ、１ｃｍ、長さｌを８ｃｍ、６ｃｍ、４ｃｍ、２ｃｍの直方体を複数作成し、これらを適当に組み合わせて本体Ｃの所望の傾斜が得られるよう適宜の数を組み合わせて１セットとして支持体２４‘’を構成する。
【産業上の利用可能性】  介助者が不足している老人施設や障害者福祉施設、幼稚園や児童館等で、入所者が介助者なしでも安心して楽しく体力の向上を図ることができる遊戯具として本考案の需要は極めて大である。
【符号の説明】
【００２１】  １    基盤
２    蝶番
３    ボール
４    枠体
５    ゴール盤カップ
６    ボール収納部
７    ボール収納部の開口部上端縁
８    ゴール盤カップの下端部
９    ボール排出板
１０    ボール収納部の開口部上端縁の下端
１１    粘着テープ
１２    糸
１３    旗用のポール
１４    ポールに設けた穴
１５    リング状の把持部
１６、１６’    突条
１７    突条の開口部
１８、１８’    ボール仮保管部
１９    クラブ
２０    打ち出し用のボール保持部
２１    本体の上端部
２２    本体の下端部
２３，２３’    本体の側面
２４、２４’、２４’’  各種支持体
Ａ    基盤１の上半分
Ｂ    基盤１の下半分
Ｃ    本体
ａ    支持体２４の高い方の端縁部の高さ
ｂ    支持体２４の低い方の端縁部の高さ
ｃ    支持体２４の横幅
ｄ    支持体２４’の直径
ｈ    支持体２４’、２４’’の高さ
ｌ    支持体２４’’の長さ
ｗ    支持体２４’’の横幅
ｅ    特許文献１の植毛
ｆ    特許文献１ゴルフホール
ｇ    特許文献１ゴルフボール
【図１】
0003212593.tif 000003
【図２】
0003212593.tif 000004
【図３】
0003212593.tif 000005
【図４】
0003212593.tif 000006
【図５】
0003212593.tif 000007
【図６】
0003212593.tif 000008
【図７】
0003212593.tif 000009
【図８】
0003212593.tif 000010